(57)【要約】      （修正有）【課題】前部ドアは、下降可能窓ガラスを有し、且つ後部ドアは、固定窓ガラスを有する、自動車を提供する。【解決手段】本発明は、自動車（１）であって、自動車の第１の前後方向側面に互いに前後に配置される第１の前部ドア（２）及び第１の後部ドア（３）と、自動車の第２の前後方向側面に互いに前後に配置される第２の前部ドア及び第２の後部ドアであって、第２の前後方向側面は、第１の前後方向側面の反対側に位置する、第２の前部ドア及び第２の後部ドアとを含み、２つの前部ドアの各々は、下降可能窓ガラス（４）を有し、且つ２つの後部ドアの各々は、固定窓ガラス（６）を有し、及び後部ドアは、フレームレス構成のものであり、且つ固定窓ガラスは、前部ドア（２）まで延在する、側面図における改善された外観を有する自動車である。【選択図】図１
2020142791.tif 000002
【特許請求の範囲】
【請求項１】
自動車（１）であって、
前記自動車（１）の第１の前後方向側面に互いに前後に配置される第１の前部ドア（２）及び第１の後部ドア（３）と、
前記自動車（１）の第２の前後方向側面に互いに前後に配置される第２の前部ドア及び第２の後部ドアであって、前記第２の前後方向側面は、前記第１の前後方向側面の反対側に位置する、第２の前部ドア及び第２の後部ドアと
を含み、前記２つの前部ドア（２）の各々は、下降可能窓ガラス（４）を有し、且つ前記２つの後部ドア（３）の各々は、固定窓ガラス（６）を有する、自動車（１）において、前記後部ドア（３）は、フレームレス構成のものであることと、前記固定窓ガラス（６）は、前記前部ドア（２）まで延在することとを特徴とする自動車（１）。
【請求項２】
前記固定窓ガラス（６）は、前記関連する後部ドア（３）にねじ止めされることを特徴とする、請求項１に記載の自動車（１）。
【請求項３】
前記固定窓ガラス（６）は、前記関連する後部ドア（３）に接着接合されることを特徴とする、請求項１に記載の自動車（１）。
【請求項４】
前記２つの前部ドア（２）の各々は、フレーム及びフレームトリムパネル（５）を有し、前記フレームトリムパネル（５）は、車両垂直方向に延在し、且つ前記フレームトリムパネル（５）が、前記後部ドア（３）に隣接する領域において、前記関連する前部ドア（２）の前記フレームを覆うように構成されることを特徴とする、請求項１〜３のいずれか一項に記載の自動車（１）。
【請求項５】
側面図において、前記後部ドア（３）の前記固定窓ガラス（６）と前記前部ドア（２）の前記フレームトリムパネル（５）との間の第１の露出接合部（７）と、前記前部ドア（２）の前記フレームトリムパネル（５）と前記下降可能窓ガラス（４）との間の第２の露出接合部（８）とを窓ガラス領域に有することを特徴とする、請求項４に記載の自動車（１）。
【請求項６】
前記２つの前部ドア（２）の各々は、フレームレス構成のものであることを特徴とする、請求項１〜３のいずれか一項に記載の自動車（１）。
【請求項７】
前記後部ドア（３）の前記固定窓ガラス（６）は、前記固定窓ガラス（６）が、前記関連する後部ドア（３）に対して隣接する前記前部ドア（２）の前記下降可能窓ガラス（４）のためのウィンドウガイドを形成するように構成されることを特徴とする、請求項６に記載の自動車（１）。
【請求項８】
側面図において、前記後部ドア（３）の前記固定窓ガラス（６）と前記前部ドア（２）の前記下降可能窓ガラス（４）との間の単一の露出接合部（９）を窓ガラス領域に有することを特徴とする、請求項６又は７に記載の自動車（１）。
【発明の詳細な説明】
【技術分野】
【０００１】
本発明は、自動車であって、自動車の第１の前後方向側面に互いに前後に配置される第１の前部ドア及び第１の後部ドアと、自動車の第２の前後方向側面に互いに前後に配置される第２の前部ドア及び第２の後部ドアであって、第２の前後方向側面は、第１の前後方向側面の反対側に位置する、第２の前部ドア及び第２の後部ドアとを含み、２つの前部ドアの各々は、下降可能窓ガラスを有し、且つ２つの後部ドアの各々は、固定窓ガラスを有する、自動車に関する。
【背景技術】
【０００２】
４つのドア又は５つのドア（追加のテールゲートを有する）で構成される自動車は、互いに反対側に位置する２つの前後方向側面にそれぞれ１つの前部ドアと、車両前後方向において前記前部ドアの後方に配置された１つの後部ドアとを有する。それらのドアが開いた状態では、自動車の室内へのアクセスが可能である。下降可能窓ガラスは、通常、前部ドア及び後部ドアの各々に配置される。下降可能窓ガラスは、手動で駆動される（具体的には窓ハンドルを用いて）か、又はパワーウインドウ昇降装置によって駆動され得る。その結果、下降可能窓ガラスは、ユーザによって選択的に昇降され得る。
【０００３】
４ドア又は５ドア自動車の２つの前部ドア及び２つの後部ドアがフレームドアとして構成される場合、合計で３つの露出接合部が、自動車の側面図において、前部ドアと後部ドアとの間の窓ガラス領域に生じる。第１の露出接合部は、前部ドアと後部ドアとの間において、前部ドアのフレームトリムパネルと、後部ドアのフレームトリムパネルとの間に生じる。第２の露出接合部は、前部ドアの下降可能窓ガラスと、前部ドアのフレームトリムパネルとの間に構成される。第３の露出接合部は、後部ドアの下降可能窓ガラスと、後部ドアのフレームトリムパネルとの間に生じる。
【０００４】
対照的に、フレームレス前部ドアが自動車に装備されている場合、先行技術から知られている自動車の事例では、単に２つの露出接合部が側面図において窓ガラス領域に生じる。第１の露出接合部は、前部ドアの下降可能窓ガラスと、後部ドアのドアフレームのフレームトリムパネルとの間に構成される。第２の露出接合部は、後部ドアの下降可能窓ガラスと、後部ドアのフレームトリムパネルとの間に生じる。
【０００５】
自動車の後部ドアは、先行技術からすでに知られている。後部ドアは、関連する後部ドアに固着された固定窓ガラスを有する。（特許文献１）は、この後部ドアの一例を示している。
【０００６】
先行技術から知られている自動車の事例で側面図において生じる上記の露出接合部により、前部ドア及び後部ドアが閉まった状態で自動車の外観に悪影響が生じることが多い。
【先行技術文献】
【特許文献】
【０００７】
【特許文献１】特開２０１６−１１３０２５Ａ１号公報
【発明の概要】
【発明が解決しようとする課題】
【０００８】
本発明の目的は、側面図における改善された外観を有する、最初に言及したタイプの自動車を提供することである。
【課題を解決するための手段】
【０００９】
前記目的は、請求項１の特徴付け部分の特徴を有する一般的なタイプの自動車によって達成される。下位請求項は、本発明の有利な発展形態に関する。
【００１０】
本発明による自動車は、後部ドアがフレームレス構成のものであり、且つ固定窓ガラスが前部ドアまで延在するという事実によって区別される。具体的には、自動車の側面図における外観は、本発明による前記対策により、窓ガラス領域において改善され得る。下降可能窓ガラスと比べて、後部ドアの固定構成の窓ガラスからいくつかの利点が得られる。窓ガラスを昇降させるための窓昇降機構と、結果的にドアボディ内の下降窓ガラス自体のための設置スペースとを、関連する後部ドアのドアボディ内に提供する必要がない。そのため、設置スペース及びパッケージングにおける利点が得られる。その上、後部ドアのドアボディのドアウェルは、その室内側の面と室外側の面との間で固定窓ガラスを下降させる必要がないため、その上側において室内側の面と室外側の面との間に接合され得る。これにより、前記領域における機械的剛性が追加的に増大する。
【００１１】
固定窓ガラスは、全く異なる方法で後部ドアに固着され得る。好ましい一実施形態では、固定窓ガラスは、関連する後部ドアにねじ止めされ得る。代替として、固定窓ガラスは、関連する後部ドアに接着接合され得る。根本的に、他の固着タイプも同様に想定することができる。
【００１２】
有利な一実施形態では、２つの前部ドアの各々は、フレーム及びフレームトリムパネルを有し、フレームトリムパネルは、車両垂直方向に延在し、且つフレームトリムパネルが、後部ドアに隣接する領域において、関連する前部ドアのフレームを覆うように構成される可能性がある。
【００１３】
特に好ましい一実施形態では、自動車は、側面図において、後部ドアの固定窓ガラスと前部ドアのフレームトリムパネルとの間の第１の露出接合部と、前部ドアのフレームトリムパネルと下降可能窓ガラスとの間の第２の露出接合部とを窓ガラス領域に有する可能性がある。従って、先行技術から知られている４ドア又は５ドア自動車（前部ドアはフレームドアとして構成される）と比べて、露出接合部の数は、３つの露出接合部から２つの露出接合部に有利に低減され得る。これにより、自動車の側面図における外観が改善される。その上、窓ガラス領域における露出接合部の数の低減により、自動車の抗力係数（抵抗係数）の低減がもたらされる。その上、前記対策により、破壊的な騒音（具体的には風騒音）が効果的に低減され得る。
【００１４】
さらなる有利な実施形態では、２つの前部ドアの各々がフレームレス構成のものである可能性がある。結果として、前部ドアのフレームトリムパネルは、有利な方法で省略することができる。
【００１５】
好ましい一実施形態では、後部ドアの固定窓ガラスが、関連する後部ドアに隣接する前部ドアの下降可能窓ガラスのためのウィンドウガイドを形成するように構成されることが提案される。前記実施形態により、前部ドアの下降可能窓ガラスを隣接する後部ドアの固定窓ガラスに直接隣接させることができる。
【００１６】
特に有利な一実施形態では、自動車は、側面図において、後部ドアの固定窓ガラスと前部ドアの下降可能窓ガラスとの間の単一の露出接合部を窓ガラス領域に有することが提案される。従って、先行技術から知られている４ドア又は５ドア自動車（前部ドアはフレームレスドアとして構成される）と比べて、露出接合部の数は、２つの露出接合部から単に１つの露出接合部に有利に低減され得る。これにより、自動車の側面図における外観が大いに改善される。その上、窓ガラス領域における露出接合部の数の低減により、自動車の抗力係数（抵抗係数）の低減がもたらされる。その上、前記対策により、破壊的な騒音（具体的には風騒音）が効果的に低減され得る。
【００１７】
本発明のさらなる特徴及び利点は、添付の図を参照して、例示的な好ましい実施形態の以下の説明に基づいて明らかになるであろう。
【図面の簡単な説明】
【００１８】
【図１】本発明の第１の例示的な実施形態に従って構成された自動車の一部の側面図を示す。
【図２】本発明の第２の例示的な実施形態に従って構成された自動車の一部の側面図を示す。
【発明を実施するための形態】
【００１９】
図１を参照すると、本発明の第１の例示的な実施形態に従って構成された自動車１は、第１の前後方向側面の第１の前部ドア２と、車両前後方向においてこの後方に見られる第１の後部ドア３とを有する。同様に、第１の前後方向側面の反対側に位置する第２の前後方向側面（ここでは明示的に図示せず）では、自動車は、第２の前部ドアと、車両前後方向においてこの後方に見られる第２の後部ドアとを有する。前記第１の例示的な実施形態では、自動車の前部ドア２は、フレームドアとして構成され、且つ下降可能な設計である窓ガラス４を有する。第１及び第２の前後方向側面の各々の前部ドア２のフレームは、フレームトリムパネル５を有する。フレームトリムパネル５は、車両垂直方向に延在し、且つ後部ドア３に隣接する領域においてフレームを覆う。後部ドア３に関する限り、それは、フレームレス構成のものであり、且つドアボディ３０を有する。
【００２０】
２つの後部ドア３の各々は、固定窓ガラス６を有する。固定窓ガラス６は、例えば、関連する後部ドア３のドアボディ３０に部分的に埋め込まれ得、且つ前記ドアボディ３０にねじ止めされるか又は接着接合され得る。また、固定窓ガラス６は、他の何らかの方法で後部ドア３にも接合され得、特にねじ止めされるか又は接着接合され得る。従って、先行技術から知られている大部分の４ドア又は５ドア自動車の事例と異なり、後部ドア３の窓ガラス６は、関連する後部ドア３（具体的にはドアボディ３０）に固定接合されているため、下降させることができない。ここで、固定窓ガラス６は、隣接する前部ドア２まで延在するように構成される。
【００２１】
自動車１の後部ドア３の固定構成の前記窓ガラス６から複数の利点が得られる。窓ガラスを昇降させるための窓昇降機構と、また後部ドア３のドアボディ３０内の下降窓ガラス自体のための設置スペースとを、関連する後部ドア３のドアボディ３０内に提供する必要がない。そのため、設置スペース及びパッケージングにおける利点が得られる。その上、関連する後部ドア３のドアボディ３０のドアウェルは、その室内側の面と室外側の面との間で固定窓ガラス６を下降させる必要がないため、その上側において室内側の面と室外側の面とに接合され得る。これにより、前記領域における機械的剛性が増大する。
【００２２】
固定窓ガラス６のさらなる利点には、自動車１の側面図において、前部ドア２と後部ドア３との間の窓ガラス領域での露出接合部７、８の数が、ここで、３つ（先行技術）から２つに低減されることが含まれる。第１の露出接合部７は、固定窓ガラス６と、前部ドア２のフレームトリムパネル５との間に生じる。第２の露出接合部８は、前部ドア２のフレームトリムパネル５と、下降可能窓ガラス４との間に構成される。後部ドア３は、フレームレス構成のものである。固定窓ガラス６は、後部ドア３が閉まった状態で前部ドア２のフレームトリムパネル５まで延在する。そのため、後部ドア３に追加のトリムパネルが不要である。その上、露出接合部７、８の数を低減することにより、自動車１の抗力係数（抵抗係数）が低減され得る。さらなる利点は、破壊的な騒音（具体的には風騒音）が効果的に低減され得るという事実から得られる。
【００２３】
以下の本文では、図２を参照して、自動車１の第２の例示的な実施形態をさらに詳細に説明する。同一の又は機能的に同一のコンポーネントには、図１と同じ符号が提供されている。自動車１の根本的な構造は、第１の例示的な実施形態と多くの類似性を有する。その結果、繰り返しを避けるために、主に構造的な違いが説明される。
【００２４】
第１の例示的な実施形態とは対照的に、本事例では、自動車１の２つの前部ドア２は、フレームレス構成のものである。その結果、２つの前部ドア２は、第１の例示的な実施形態と異なり、フレームトリムパネル５を有さない。次に、互いに反対側に位置する自動車１の前後方向側面の２つの後部ドア３は、フレームレス構成のものであり、第１の例示的な実施形態と同様に固定窓ガラス６を有する。前記固定窓ガラス６は、後部ドア３の閉位置において、前部ドア２まで延在するように形成される。ここで、固定窓ガラス６は、前部ドア２の下降可能窓ガラス４のためのウィンドウガイドを形成するように構成される。これにより、前部ドア２の窓ガラス４を後部ドア３の固定窓ガラス６に直接隣接させることができるという状況が達成される。加えて、前部ドア２も後部ドア３もフレームトリムパネル５を有さないため、窓ガラス領域における露出接合部９の数を２つの露出接合部（先行技術）から単一の露出接合部９に低減することができる。自動車１の側面図において、前部ドア２及び後部ドア３が閉まった状態では、前記１つの露出接合部９は、前部ドア２の下降可能窓ガラス４と後部ドア３の固定窓ガラス６との間に生じる。この露出接合部９の数の低減により、側面図における自動車１の外観がかなり改善される。その上、結果として自動車１の抗力係数（抵抗係数）を低減することができる。露出接合部９の数の低減のさらなる利点には、破壊的な騒音（具体的には風騒音）が効果的に低減され得ることが含まれる。
【符号の説明】
【００２５】
１  自動車
２  第１の前部ドア
３  第１の後部ドア
４  下降可能窓ガラス
５  フレームトリムパネル
６  固定窓ガラス
７  第１の露出接合部
８  第２の露出接合部
９  単一の露出接合部
【図１】
2020142791.tif 000003
【図２】
2020142791.tif 000004